(57)【要約】【課題】ゲートロックレバー切換時における誤操作によって、アクチュエータの予期しない動作を、さらに速く停止可能な作業機械を提供する。【解決手段】作業機械は、ロック操作装置が許容位置から禁止位置に操作された場合、ロック弁をロック位置から解除位置に切り換えた上で、ロック弁が解除位置に切り換えられてから第１時間が経過するまでの間、圧力センサの検出結果に基づいてパイロット弁からパイロット圧油が出力されたか否かを判定し、第１時間が経過するまでの間にパイロット圧油が出力されていないと判定され且つ第２時間が経過すると、ロック弁をロック位置から解除位置に切り換え、第１時間が経過するまでの間にパイロット圧油が出力されたと判定されると、ロック弁をロック位置に保持することを特徴とする。【選択図】図４
2020051134.tif 000002
【特許請求の範囲】
【請求項１】
エンジンと、
前記エンジンにより駆動される油圧ポンプと、
前記油圧ポンプにより吐出される圧油によって駆動されるアクチュエータと、
前記油圧ポンプと前記アクチュエータとの間に設けられ、前記アクチュエータの動作方向と前記アクチュエータの速度を制御する方向切換弁と、
前記アクチュエータを操作するアクチュエータ操作装置と、
前記アクチュエータ操作装置の操作量に応じたパイロット圧油を操作信号として前記方向切換弁に出力するパイロット弁と、
オペレータの運転席への進入を許容する許容位置、またはオペレータの運転席への進入を禁止する禁止位置に操作可能なロック操作装置と、
前記ロック操作装置が前記許容位置に操作された場合に、前記パイロット弁への作動油の供給を遮断するロック位置、または、前記ロック操作装置が前記禁止位置に操作された場合に、前記パイロット弁に作動油を供給する解除位置に切り換えられるロック弁と、
作動油の圧力を検出する圧力センサと、
前記ロック弁の切換位置を制御するコントローラとを備えた作業機械において、
前記コントローラは、
前記ロック操作装置が前記許容位置から前記禁止位置に操作された場合、前記ロック弁を前記ロック位置から前記解除位置に切り換えた上で、
前記ロック弁が前記解除位置に切り換えられてから第１時間が経過するまでの間、前記圧力センサの検出結果に基づいて前記パイロット弁からパイロット圧油が出力されたか否かを判定し、
前記第１時間が経過するまでの間にパイロット圧油が出力されていないと判定され且つ第２時間が経過すると、前記ロック弁を前記ロック位置から前記解除位置に切り換え、
前記第１時間が経過するまでの間にパイロット圧油が出力されたと判定されると、前記ロック弁を前記ロック位置に保持することを特徴とする作業機械。
【請求項２】
請求項１に記載の作業機械において、
前記パイロット弁に供給する作動油の温度を検出する温度センサを備え、
前記コントローラは、前記温度センサによって検出された温度が低いほど、前記第１時間を長く設定することを特徴とする作業機械。
【請求項３】
請求項１に記載の作業機械において、
前記アクチュエータは、旋回可能な上部旋回体に直接的或いは間接的に支持された第１アクチュエータ及び第２アクチュエータを含み、
前記アクチュエータ操作装置は、
前記第１アクチュエータを操作する第１操作装置と、
前記第２アクチュエータを操作する第２操作装置とを含み、
前記パイロット弁は、
前記第１操作装置の操作量に応じたパイロット圧油を操作信号として前記方向切換弁に出力する第１パイロット弁と、
前記第２操作装置の操作量に応じたパイロット圧油を操作信号として前記方向切換弁に出力する第２パイロット弁とを含み、
前記作業機械は、前記第１パイロット弁及び前記第２パイロット弁の両方からパイロット圧油が出力されていないときに、パーキング解除圧油が供給されずに前記上部旋回体の旋回を規制し、前記第１パイロット弁及び前記第２パイロット弁の少なくとも一方からパイロット圧油が出力されているときに、パーキング解除圧油が供給されて前記上部旋回体の旋回を許容する旋回ブレーキを備え、
前記圧力センサは、前記旋回ブレーキに供給されるパーキング解除圧油の圧力を検出するパーキング解除圧センサを含み、
前記コントローラは、前記パーキング解除圧センサによって検出された圧力が第１閾値以上であることに応じて、前記パイロット弁からパイロット圧油が出力されていると判定することを特徴とする作業機械。
【請求項４】
請求項３に記載の作業機械において、
前記アクチュエータは、作業機械を走行させる走行アクチュエータを含み、
前記アクチュエータ操作装置は、前記走行アクチュエータを操作する走行操作装置を含み、
前記パイロット弁は、前記走行操作装置の操作量に応じたパイロット圧油を操作信号として前記方向切換弁に出力する走行パイロット弁を含み、
前記圧力センサは、前記走行パイロット弁から出力されるパイロット圧油の圧力を検出する走行パイロット圧センサを含み、
前記コントローラは、前記走行パイロット圧センサによって検出された圧力が第２閾値以上であることに応じて、前記パイロット弁からパイロット圧油が出力されていると判定することを特徴とする作業機械。
【請求項５】
請求項１に記載の作業機械において、
前記コントローラは、パイロット圧油が出力されたと判定して前記ロック弁を前記ロック位置に切り換えた場合に、前記ロック操作装置が前記禁止位置から前記許容位置に操作され、さらに前記ロック操作装置が前記許容位置から前記禁止位置に操作されると、前記ロック弁を前記ロック位置から前記解除位置に切り換えることを特徴とする作業機械。
【請求項６】
請求項１に記載の作業機械において、
前記コントローラは、パイロット圧油が出力されたと判定したことに応じて、前記アクチュエータ操作装置の誤操作をオペレータに報知することを特徴とする作業機械。
【発明の詳細な説明】
【技術分野】
【０００１】
本発明は、アクチュエータの動作の可否をゲートロックレバーで切り換え可能な作業機械に関する。
【背景技術】
【０００２】
特許文献１には、ゲートロックレバー切換時における誤操作によって、アクチュエータの予期しない動作を防止した作業車両が記載されている。特許文献１に記載の作業車両は、ロック部材がロック位置から解除位置に切り換えられると、ロック弁をロック状態から解除状態に切り換え、ロック部材が解除位置に切り換えられてから所定時間以内にパイロット圧が所定圧力以上となった場合に、ロック弁をロック状態に切り換える。
【先行技術文献】
【特許文献】
【０００３】
【特許文献１】特許第５４６７１７６号公報
【発明の概要】
【発明が解決しようとする課題】
【０００４】
特許文献１に記載の作業車両では、ロック弁を解除状態にしたまま誤操作の有無を検出し、誤操作を検出した段階でロック弁を再びロック状態に切り換える。しかしながら、動作を開始したアクチュエータには慣性力が働くので、ロック弁をロック状態に切り換えても、アクチュエータがすぐに停止しない可能性がある。
【０００５】
本発明は、上記した実状に鑑みてなされたものであり、その目的は、ゲートロックレバー切換時における誤操作によって、アクチュエータの予期しない動作を、さらに速く停止可能な作業機械を提供することにある。
【課題を解決するための手段】
【０００６】
上記目的を達成するために、本発明は、エンジンと、前記エンジンにより駆動される油圧ポンプと、前記油圧ポンプにより吐出される圧油によって駆動されるアクチュエータと、前記油圧ポンプと前記アクチュエータとの間に設けられ、前記アクチュエータの動作方向と前記アクチュエータの速度を制御する方向切換弁と、前記アクチュエータを操作するアクチュエータ操作装置と、前記アクチュエータ操作装置の操作量に応じたパイロット圧油を操作信号として前記方向切換弁に出力するパイロット弁と、オペレータの運転席への進入を許容する許容位置、またはオペレータの運転席への進入を禁止する禁止位置に操作可能なロック操作装置と、前記ロック操作装置が前記許容位置に操作された場合に、前記パイロット弁への作動油の供給を遮断するロック位置、または、前記ロック操作装置が前記禁止位置に操作された場合に、前記パイロット弁に作動油を供給する解除位置に切り換えられるロック弁と、作動油の圧力を検出する圧力センサと、前記ロック弁の切換位置を制御するコントローラとを備えた作業機械において、前記コントローラは、前記ロック操作装置が前記許容位置から前記禁止位置に操作された場合、前記ロック弁を前記ロック位置から前記解除位置に切り換えた上で、前記ロック弁が前記解除位置に切り換えられてから第１時間が経過するまでの間、前記圧力センサの検出結果に基づいて前記パイロット弁からパイロット圧油が出力されたか否かを判定し、前記第１時間が経過するまでの間にパイロット圧油が出力されていないと判定され且つ第２時間が経過すると、前記ロック弁を前記ロック位置から前記解除位置に切り換え、前記第１時間が経過するまでの間にパイロット圧油が出力されたと判定されると、前記ロック弁を前記ロック位置に保持することを特徴とする。
【発明の効果】
【０００７】
本発明によれば、ゲートロックレバー切換時における誤操作によって、アクチュエータの予期しない動作を、さらに速く停止することができる。なお、上記した以外の課題、構成及び効果は、以下の実施形態の説明により明らかにされる。
【図面の簡単な説明】
【０００８】
【図１】本発明に係る作業機械の代表例である油圧ショベルの側面図。
【図２】油圧ショベルが備える油圧回路の概略構成を示す図。
【図３】油圧ショベルが備えるコントローラの構成を示すブロック図。
【図４】コントローラが実行する誤操作制御処理のフローチャート。
【図５】ゲートロックレバーの位置、ロック弁の位置、作業レバーの操作、パーキング解除圧、走行レバーの操作、走行パイロット圧の時間変化を示すタイムチャート。
【発明を実施するための形態】
【０００９】
本発明に係る作業機械の実施形態について、図面を用いて説明する。図１は本発明に係る作業機械の代表例である油圧ショベル１の側面図である。図２は、油圧ショベル１が備える油圧回路の概略構成を示す図である。なお、本明細書中の前後左右は、特に断らない限り、油圧ショベル１に搭乗して操作するオペレータの視点を基準としている。また、作業機械の具体例は油圧ショベル１に限定されず、ダンプトラック、モータグレーダー、ホイールローダー等であってもよい。
【００１０】
油圧ショベル１は、下部走行体２と、下部走行体２に支持された上部旋回体３とを備える。下部走行体２は、左右一対の履帯８を備える。左右一対の履帯８は、油圧モータ８ａ、８ｂ（図２参照）が駆動輪８ｃを駆動することによって、それぞれ独立して回転する。これにより、油圧ショベル１は、前進、後退、旋回が可能になる。
【００１１】
上部旋回体３は、旋回モータ３ａ（図２参照）によって旋回可能な状態で下部走行体２に支持されている。上部旋回体３は、ベースとなる旋回フレーム５と、この旋回フレーム５の前方左側に配置されるキャブ（運転席）７と、旋回フレーム５の前方中央に上下方向に回動可能に取り付けられるフロント作業機４と、旋回フレーム５の後方に配置されるカウンタウェイト６と、油圧ショベル１を動作させるための駆動力を発生させるエンジン１０とを備える。
【００１２】
フロント作業機４は、上部旋回体３に俯仰可能に支持されたブーム４ａと、ブーム４ａの先端に揺動可能に支持されたアーム４ｂと、アーム４ｂの先端に揺動可能に支持されたバケット４ｃと、ブーム４ａ、アーム４ｂ、及びバケット４ｃを駆動させる油圧シリンダ（アクチュエータ）４ｄ〜４ｆとを含む。すなわち、ブーム４ａは上部旋回体３に直接的に支持されており、アーム４ｂ及びバケット４ｃは上部旋回体３に間接的に支持されている。カウンタウェイト６は、フロント作業機４との重量バランスを取るためのもので、円弧状をした重量物である。
【００１３】
キャブ７には、油圧ショベル１を操作するオペレータが搭乗する内部空間が形成されている。キャブ７の内部空間には、油圧ショベル１の動作を指示するオペレータの操作を受け付ける操作装置（ステアリング、ペダル、レバー、スイッチなど）が配置されている。すなわち、キャブ７に搭乗したオペレータが操作装置を操作することによって、油圧ショベル１が動作する。操作装置は、下部走行体２を走行させ、上部旋回体３を旋回させ、フロント作業機４を動作させるためのアクチュエータ操作装置と、油圧ショベル１の動作をロック及びロックを解除するロック操作装置とを含む。
【００１４】
図２に示すように、アクチュエータ操作装置は、左右一対の履帯８それぞれを操作する走行レバー（走行操作装置）１１、１２と、ブーム４ａを操作するブームレバー１３と、アーム４ｂを操作するアームレバー１４と、バケット４ｃを操作するバケットレバー１５と、上部旋回体３を旋回させる旋回レバー１６とを含む。ロック操作装置は、後述するロック弁３１の位置を切り換えるゲートロックレバー１７を含む。
【００１５】
なお、アクチュエータ操作装置及びロック操作装置はレバーの形態に限定されず、ステアリング、ペダル、スイッチ、ボタン等であってもよい。また、以下の説明において、ブームレバー１３、アームレバー１４、バケットレバー１５、及び旋回レバー１６を総称して、「作業レバー１３〜１６」と表記することがある。
【００１６】
アクチュエータ操作装置は、パイロット弁２１、２２、２３、２４、２５、２６に接続されている。パイロット弁２１〜２６は、エンジン１０により駆動される油圧ポンプ（パイロットポンプ）３３によって作動油タンク３２から圧送された作動油を、対応するアクチュエータ３ａ、４ｄ〜４ｆ、８ａ〜８ｂを動作させるためのパイロット圧油（操作信号）として油圧制御回路３４に出力する。パイロット圧油の流量は、対応するアクチュエータ制御装置に対する操作量に応じて変化する。
【００１７】
より詳細には、パイロット弁２１、２２は、走行レバー１１、１２の操作量に応じて、油圧モータ８ａ、８ｂを駆動させるためのパイロット圧油を出力する。パイロット弁２３は、ブームレバー１３の操作量に応じて、ブームシリンダ４ｄを駆動させるためのパイロット圧油を出力する。パイロット弁２４は、アームレバー１４の操作量に応じて、アームシリンダ４ｅを駆動させるためのパイロット圧油を出力する。パイロット弁２５は、バケットレバー１５の操作量に応じて、バケットシリンダ４ｆを駆動させるためのパイロット圧油を出力する。パイロット弁２６は、旋回レバー１６の操作量に応じて、旋回モータ３ａを駆動させるためのパイロット圧油を出力する。
【００１８】
ゲートロックレバー１７は、アクチュエータ３ａ、４ｄ〜４ｆ、８ａ〜８ｂの動作を規制すると共にキャブ７へのオペレータの進入を許容する許容位置と、アクチュエータ３ａ、４ｄ〜４ｆ、８ａ〜８ｂの動作を許容すると共にキャブ７へのオペレータの進入を禁止する禁止位置とに、オペレータが切換可能に構成されている。ゲートロックレバー１７は、例えば、禁止位置のときに解除信号をコントローラ５０（図３参照）に出力する。
【００１９】
ゲートロックレバー１７は、例えば、キャブ７の出入口とシートとの間に配置される。そして、ゲートロックレバー１７は、許容位置のときにキャブ７へのオペレータの乗降を妨げず、禁止位置のときにキャブ７へのオペレータの乗降を妨げるように構成されていてもよい。これにより、ゲートロックレバー１７を禁止位置にしたまま、オペレータがキャブ７から離れることを抑制できる。
【００２０】
油圧制御回路３４は、パイロット弁２１〜２６から供給されるパイロット圧油に従って、エンジン１０によって駆動される油圧ポンプ３３０により吐出される圧油をアクチュエータ３ａ、４ｄ〜４ｆ、８ａ〜８ｂに供給する。油圧制御回路３４は、例えば、油圧ポンプ３３とアクチュエータ３ａ、４ｄ〜４ｆ、８ａ〜８ｂとの間に設けられて、パイロット圧油に応じて圧油の供給量及び供給方向を切り換える方向切換弁を含む。方向切換弁は、アクチュエータ３ａ、４ｄ〜４ｆ、８ａ〜８ｂそれぞれに対応して複数設けられており、圧油の供給量によって対応するアクチュエータ３ａ、４ｄ〜４ｆ、８ａ〜８ｂの速度を制御し、圧油の供給方向によって対応するアクチュエータ３ａ、４ｄ〜４ｆ、８ａ〜８ｂ動作方向を制御する。油圧制御回路３４の具体的な構成は既に周知なので、詳細な説明は省略する。
【００２１】
ロック弁３１は、コントローラ５０による制御に従って、ロック位置と解除位置とに切り換えられる電磁弁である。ロック位置のロック弁３１は、油圧ポンプ３３からパイロット弁２１〜２６への作動油の供給を遮断する。一方、解除位置のロック弁３１は、油圧ポンプ３３からパイロット弁２１〜２６への作動油の供給を許容する。ロック弁３１は、例えば、初期位置がロック位置であり、ゲートロックレバー１７から解除信号が出力されている間だけ解除位置に切り換えられ、解除信号の出力が停止するとロック位置に戻るように構成されている。
【００２２】
すなわち、ゲートロックレバー１７が許容位置（ロック弁３１がロック位置）のとき、アクチュエータ操作装置を操作してもパイロット弁２１〜２６からパイロット圧油が出力されない。換言すれば、ゲートロックレバー１７が許容位置（ロック弁３１がロック位置）のときは、アクチュエータ操作装置を操作してもアクチュエータ３ａ、４ｄ〜４ｆ、８ａ〜８ｂが駆動しない。
【００２３】
一方、ゲートロックレバー１７が禁止位置（ロック弁３１が解除位置）のとき、アクチュエータ操作装置を操作すると、パイロット弁２１〜２６からパイロット圧油が出力される。すなわち、ゲートロックレバー１７が禁止位置（ロック弁３１が解除位置）のときは、アクチュエータ操作装置に対する操作に従って、アクチュエータ３ａ、４ｄ〜４ｆ、８ａ〜８ｂが駆動する。
【００２４】
油圧制御回路３４には、上部旋回体３の旋回を規制及び許容する旋回ブレーキ３５が接続されている。旋回ブレーキ３５は、例えば、上部旋回体３の回転軸３ｂを制動するブレーキパッド３６と、回転軸３ｂに対してブレーキパッド３６を接離させるシリンダ３７とを含む。旋回ブレーキ３５は、油圧制御回路３４から供給されるパーキング解除圧油によって、上部旋回体３の旋回を規制する状態と旋回を許容する状態とに切換可能に構成されている。
【００２５】
シリンダ３７は、付勢部材の一例であるコイルバネ３８の付勢力によって、ブレーキパッド３６を回転軸３ｂに当接させて、上部旋回体３の旋回を規制している。また、シリンダ３７は、油圧制御回路３４からパーキング解除圧油がロッド室に供給されると、コイルバネ３８の付勢力に抗してブレーキパッド３６を回転軸３ｂから離間させて、上部旋回体３の旋回を許容する。さらに、シリンダ３７は、油圧制御回路３４からのパーキング解除圧油の供給が停止すると、コイルバネ３８の付勢力によって、再びブレーキパッド３６を回転軸３ｂに当接させて、上部旋回体３の旋回を規制する。
【００２６】
旋回ブレーキ３５は、油圧ショベル１の停止中に上部旋回体３が意図せず旋回するのを防止する所謂ネガティブブレーキである。一方、上部旋回体３の旋回が規制された状態で上部旋回体３或いはフロント作業機４を動作させると、上部旋回体３に過負荷がかかる。そこで、上部旋回体３或いはフロント作業機４が動作する際には、旋回ブレーキ３５を解除する必要がある。
【００２７】
そこで、油圧制御回路３４は、ゲートロックレバー１７が禁止位置で且つ作業レバー１３〜１６の少なくとも１つが操作されている間（すなわち、パイロット弁２３〜２６の少なくとも１つからパイロット圧油が出力されている間）、シリンダ３７にパーキング解除圧油を供給する。すなわち、旋回ブレーキ３５は、パイロット弁２３〜２６の少なくとも１つからパイロット圧油が供給されている間、上部旋回体３の旋回を許容する。
【００２８】
一方、油圧制御回路３４は、ゲートロックレバー１７が許容位置の間、或いはゲートロックレバー１７が禁止位置で且つ作業レバー１３〜１６の全てが操作されていない間（すなわち、パイロット弁２３〜２６の全てからパイロット圧油が出力されていない間）、パーキング解除圧油の供給を停止する。すなわち、旋回ブレーキ３５は、パイロット弁２３〜２６の全てからパイロット圧油が出力されていない間、上部旋回体３の旋回を規制する。
【００２９】
また、油圧制御回路３４は、上部旋回体３或いはフロント作業機４が実際に動き始める前に旋回ブレーキ３５を解除するために、アクチュエータ３ａ、４ｄ〜４ｆに作動油を供給し始める直前に、シリンダ３７にパーキング解除圧油を供給し始める。すなわち、作業レバー１３〜１６を操作すると、上部旋回体３或いはフロント作業機４が動作を開始する直前に、旋回ブレーキ３５が解除される。
【００３０】
次に、図３を参照して、コントローラ５０の構成を説明する。図３は、油圧ショベル１が備えるコントローラ５０の構成を示すブロック図である。コントローラ５０は、ゲートロックレバー１７、温度センサ４１、パーキング解除圧センサ４２、及び走行パイロット圧センサ４３から出力される各種信号を取得し、取得した各種信号に基づいてロック弁３１及び報知装置４４を制御する。
【００３１】
温度センサ４１は、例えば、作動油タンク３２に貯留されている作動油の温度を計測し、計測した温度を示す温度信号をコントローラ５０に出力する。パーキング解除圧センサ４２は、シリンダ３７に供給されるパーキング解除圧油の圧力を計測し、計測した圧力を示す圧力信号をコントローラ５０に出力する。走行パイロット圧センサ４３は、パイロット弁２１、２２から出力されるパイロット圧油の圧力を計測し、計測した圧力を示す圧力信号をコントローラ５０に出力する。
【００３２】
報知装置４４は、キャブ７に搭乗するオペレータに各種情報を報知する装置である。報知装置４４の具体例は特に限定されないが、例えば、例えば、文字、画像、映像を表示させるディスプレイ、警告灯、或いは音声を出力するスピーカである。
【００３３】
図示は省略するが、コントローラ５０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）を備える。ただし、コントローラ５０の具体的な構成はこれに限定されず、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）などのハードウェアによって実現されてもよい。
【００３４】
コントローラ５０は、ＲＯＭに格納されたプログラムコードをＣＰＵが読み出して実行することによって、ソフトウェアとハードウェアとが協働して、切換部５１、判定時間補正部５２、判定部５３、報知処理部５４として機能する。また、ＲＡＭは、ＣＰＵがプログラムを実行する際のワークエリアとして用いられる。
【００３５】
切換部５１は、ロック弁３１の切換位置を制御する。より詳細には、ロック弁３１は、ゲートロックレバー１７がオペレータの運転席への進入を許容する許容位置からオペレータの運転席への進入を禁止する禁止位置に操作された場合、後述する判定部５３の結果に基づきロック弁３１をパイロット圧油の供給を遮断するロック位置もしくはパイロット圧油の供給を許容する解除位置に切り換え、また、ゲートロックレバー１７が禁止位置から許容位置に操作された場合にも、後述する判定部５３の結果に基づきロック弁３１を解除位置もしくはロック位置に切り換える。
【００３６】
また、切換部５１は、ロック弁３１が解除位置に切り換えられてから第１時間ｔ１が経過したことに応じて、ロック弁３１を解除位置からロック位置に切り換える。さらに、切換部５１は、第１時間ｔ１が経過してロック弁３１をロック位置にした後、判定部５３から誤操作なしと通知されたことに応じて、ロック弁３１を再びロック位置から解除位置に切り換える。
【００３７】
判定時間補正部５２は、温度センサ４１から出力される温度信号に基づいて、第１時間ｔ１の値を補正し、補正した第１時間ｔ１を切換部５１及び判定部５３に通知する。第１時間ｔ１の初期値は、例えば、０．２秒である。そして、判定時間補正部５２は、温度信号で示される作動油の温度が低いほど、第１時間ｔ１を長く設定する。これは、温度低下に伴う作動油の粘度増加によって、後述するパーキング解除圧Ｐ１及び走行パイロット圧Ｐ２の立ち上がりが遅くなるからである。
【００３８】
判定部５３は、ロック弁３１が解除位置に切り換えられてから第１時間ｔ１が経過するまでの間に、アクチュエータ操作装置１１〜１６が操作された（このタイミングでの操作を「誤操作」と表記する。）か否かを判定する。換言すれば、判定部５３は、ロック弁３１が解除位置に切り換えられてから第１時間ｔ１が経過するまでの間に、パイロット弁２１〜２６の少なくとも１つからパイロット圧油が出力されたか否かを判定する。そして、判定部５３は、判定結果を切換部５１及び報知処理部５４に通知する。
【００３９】
なお、本実施形態の「誤操作」の典型例としては、アクチュエータ操作装置１１〜１６が操作された状態で、ゲートロックレバー１７を許容位置から禁止位置に操作することを指す。例えば、アクチュエータ操作装置１１〜１６にオペレータの体が当たって、アクチュエータ操作装置１１〜１６が操作されていることに気づかないまま、オペレータがゲートロックレバー１７を操作することが想定される。
【００４０】
一例として、判定部５３は、ロック弁３１が解除位置に切り換えられてから第１時間ｔ１が経過するまでの間に、パーキング解除圧センサ４２から出力される圧力信号で示されるパーキング解除圧Ｐ１が第１閾値Ｐｔｈ１以上になった場合に、誤操作がされたと判定する。一方、判定部５３は、ロック弁３１が解除位置に切り換えられてから第１時間ｔ１が経過するまでの間、常にパーキング解除圧Ｐ１が第１閾値Ｐｔｈ１未満の場合に、誤操作がされていないと判定する。なお、第１閾値Ｐｔｈ１は、旋回ブレーキ３５を解除するのに必要なパーキング解除圧Ｐｐｋ（例えば、４ＭＰａ）より十分に低い値（例えば、１ＭＰａ）に設定される。
【００４１】
他の例として、判定部５３は、ロック弁３１が解除位置に切り換えられてから第１時間ｔ１が経過するまでの間に、走行パイロット圧センサ４３から出力される圧力信号で示される走行パイロット圧Ｐ２が第２閾値Ｐｔｈ２以上になった場合に、誤操作がされたと判定する。一方、判定部５３は、ロック弁３１が解除位置に切り換えられてから第１時間ｔ１が経過するまでの間、常に走行パイロット圧Ｐ２が第２閾値Ｐｔｈ２未満の場合に、誤操作がされていないと判定する。なお、第２閾値Ｐｔｈ２は、走行レバー１１〜１２の操作時にパイロット弁２１、２２から出力される走行パイロット圧Ｐｔｖ（例えば、最大で４ＭＰａ）より十分に低い値（例えば、０．６ＭＰａ）に設定される。
【００４２】
報知処理部５４は、誤操作がされたと判定部５３が判定したことに応じて、誤操作が発生したこと、誤操作の発生を検知してロック弁３１をロック位置に切り換えたこと、或いはロック弁３１のロック位置から解除位置に切り換える方法などを、報知装置４４を通じて報知する。すなわち、報知処理部５４は、例えば、ディスプレイにメッセージを表示させてもよいし、警告灯を点灯（点滅）させてもよいし、スピーカに音声を出力させてもよい。
【００４３】
次に、図４及び図５を参照して、コントローラ５０の処理を説明する。図４は、コントローラ５０が実行する誤操作制御処理のフローチャートである。図５は、ゲートロックレバー１７の位置、ロック弁３１の位置、作業レバー１３〜１６の操作の有無、パーキング解除圧、走行レバー１１〜１２の操作の有無、走行パイロット圧の時間変化を示すタイムチャートである。なお、誤操作制御処理の開始時点において、ゲートロックレバー１７は許容位置であり、ロック弁３１はロック位置であるものとする。
【００４４】
まず、切換部５１は、ゲートロックレバー１７が許容位置から禁止位置に操作（解除操作）されるのを監視する（Ｓ１１）。切換部５１は、図５の時刻ｔ１０にゲートロックレバー１７から解除信号が出力されたことに応じて、ゲートロックレバー１７が許容位置から禁止位置に操作されたと判断する。そして、切換部５１は、ゲートロックレバー１７が許容位置から禁止位置に操作されたことに応じて（Ｓ１１：Ｙｅｓ）、ロック弁３１をロック位置から解除位置に切り換える（Ｓ１２）。
【００４５】
次に、判定時間補正部５２は、温度センサ４１から出力される温度信号に基づいて、第１時間ｔ１を補正する（Ｓ１３）。第１時間ｔ１を補正する具体的な方法は特に限定されないが、例えば、温度と第１時間ｔ１との関係を示す表、グラフ、関数などがＲＯＭに記憶されており、温度信号で示される温度に対応する第１時間ｔ１を取得すればよい。そして、判定時間補正部５２は、補正した第１時間ｔ１を切換部５１及び判定部５３に通知する。
【００４６】
次に、判定部５３は、ゲートロックレバー１７が禁止位置に操作されてから第１時間ｔ１が経過するまでの間（Ｓ１５：Ｎｏ）、パーキング解除圧Ｐ１及び走行パイロット圧Ｐ２の値を監視する（Ｓ１４）。より詳細には、判定部５３は、パーキング解除圧センサ４２の圧力信号で示されるパーキング解除圧Ｐ１を取得し、取得したパーキング解除圧Ｐ１をＲＡＭに記憶させる処理を繰り返し実行する。同様に、判定部５３は、走行パイロット圧センサ４３の圧力信号で示される走行パイロット圧Ｐ２を取得し、取得した走行パイロット圧Ｐ２をＲＡＭに記憶させる処理を繰り返し実行する。
【００４７】
次に、切換部５１は、ゲートロックレバー１７が禁止位置に操作されてから時間ｔ１が経過（図５の時刻ｔ１１が到来）したことに応じて（Ｓ１５：Ｙｅｓ）、ロック弁３１を解除位置からロック位置に切り換える（Ｓ１６）。このとき、ゲートロックレバー１７は禁止位置のままである。すなわち、切換部５１は、ステップＳ１６において、ゲートロックレバー１７の位置に拘わらず、ロック弁３１をロック位置に切り換える。
【００４８】
また、判定部５３は、ゲートロックレバー１７が禁止位置に操作されてから時間ｔ１が経過したことに応じて（Ｓ１５：Ｙｅｓ）、ＲＡＭに記憶させたパーキング解除圧Ｐ１と第１閾値Ｐｔｈ１とを比較し、ＲＡＭに記憶させた走行パイロット圧Ｐ２と第２閾値Ｐｔｈ２とを比較する（Ｓ１７）。第１閾値Ｐｔｈ１及び第２閾値Ｐｔｈ２は、例えば、実験やシミュレーションなどによって予め定められた値であって、ＲＯＭに記憶されている。
【００４９】
図５の時刻ｔ１０〜ｔ１１の間、パーキング解除圧Ｐ１及び走行パイロット圧Ｐ２は常に０ＭＰａなので、判定部５３は、パーキング解除圧Ｐ１が第１閾値Ｐｔｈ１未満で、且つ走行パイロット圧Ｐ２が第２閾値Ｐｔｈ２未満だと判定する（Ｓ１７：Ｎｏ）。すなわち、判定部５３は、時刻ｔ１０〜ｔ１１の間に誤操作がされていないと判定する。そして、判定部５３は、誤操作がされていないとの判定結果を、切換部５１及び報知処理部５４に通知する。
【００５０】
次に、切換部５１は、時刻ｔ１０〜ｔ１１間に誤操作がされていないと判定部５３によって判定されたことに応じて（Ｓ１７：Ｎｏ）、第２時間ｔ２が経過するまで（Ｓ１８：Ｎｏ）、ステップＳ１９以降の処理の実行を待機する。第２時間ｔ２は、例えば、予め定められた時間であって、例えば、０．２秒である。なお、第１時間ｔ１及び第２時間ｔ２は、同一の値でもよいし、異なる値でもよい。
【００５１】
そして、切換部５１は、時刻ｔ１１から第２時間ｔ２が経過した（図５の時刻ｔ１２が到来した）ことに応じて（Ｓ１８：Ｙｅｓ）、ロック弁３１をロック位置から解除位置に切り換える（Ｓ１９）。一方、時刻ｔ１０〜ｔ１１間に誤操作がされていないと判定部５３によって判定された場合、報知処理部５４は、特に何の処理も実行しなくてよい。
【００５２】
その後、時刻ｔ１３〜ｔ１４までの間に作業レバー１３〜１６が操作されると、パーキング解除圧Ｐ１が検出されると共に、操作された作業レバー１３〜１６に対応するアクチュエータ３ａ、４ｄ〜４ｆが駆動する。また、時刻ｔ１５〜ｔ１６までの間に走行レバー１１〜１２が操作されると、走行パイロット圧Ｐ２が検出されると共に、走行レバー１１〜１２に対応するアクチュエータ８ａ、８ｂが駆動する。
【００５３】
次に、図５の時刻ｔ２０にオペレータがゲートロックレバー１７を禁止位置から許容位置に操作すると、切換部５１は、ロック弁３１を解除位置からロック位置に切り換える。そして、切換部５１は、再びステップＳ１１に戻って、ゲートロックレバー１７が許容位置から禁止位置に操作されるのを監視する（Ｓ１１）。
【００５４】
次に、図５の時刻ｔ２１にオペレータが作業レバー１３~１６を操作しても、ロック弁３１がロック位置なので、パイロット弁２３〜２６からパイロット圧油が出力されず、パーキング解除圧センサ４２でパーキング解除圧Ｐ１も検出されない。なお、この例では、作業レバー１３〜１６が操作された状態が時刻ｔ２１〜ｔ２４まで継続するものとする。
【００５５】
次に、図５の時刻ｔ２２にオペレータがゲートロックレバー１７を許容位置から禁止位置に操作させると（Ｓ１１：Ｙｅｓ）、切換部５１がロック弁３１を解除位置に切り換え（Ｓ１２）、判定時間補正部５２が第１時間ｔ１を補正し（Ｓ１３）、判定部５３が第１時間ｔ１が経過するまでのパーキング解除圧Ｐ１及び走行パイロット圧Ｐ２を監視し（Ｓ１４）、第１時間ｔ１が経過したことに応じて切換部５１がロック弁３１をロック位置に切り換える（Ｓ１５）。
【００５６】
図５の時刻ｔ２３でロック弁３１がロック位置に切り換わると、作業レバー１３〜１６が操作された状態のままでも、パーキング解除圧Ｐ１は検出されなくなる。ステップＳ１２〜Ｓ１５の処理は前述の説明と共通するので、再度の説明は省略する。
【００５７】
時刻ｔ２２において、作業レバー１３〜１６が操作された状態でゲートロックレバー１７が禁止位置に操作されると、パーキング解除圧センサ４２によってパーキング解除圧Ｐ１が検出される。そのため、判定部５３は、第１時間ｔ１（時刻ｔ２２〜ｔ２３）の間に、パーキング解除圧Ｐ１が第１閾値Ｐｔｈ１以上になったと判定し、誤操作がされたとの判定結果を切換部５１及び報知処理部５４に通知する（Ｓ１７：Ｙｅｓ）。
【００５８】
次に、報知処理部５４は、時刻ｔ２２〜ｔ２３間に誤操作がされたと判定部５３によって判定されたことに応じて（Ｓ１７：Ｙｅｓ）、報知装置４４を通じて誤操作の発生を報知する（Ｓ２０）。
【００５９】
一方、切換部５１は、時刻ｔ２２〜ｔ２３間に誤操作がされたと判定部５３によって判定されたことに応じて（Ｓ１７：Ｙｅｓ）、ステップＳ１８〜Ｓ１９の処理を実行せずに、ゲートロックレバー１７が禁止位置から許容位置に操作（ロック操作）されるのを監視する（Ｓ２１）。すなわち、ロック弁３１がロック位置に保持される。そして、時刻ｔ２３から第２時間ｔ２が経過しても、或いは時刻ｔ２４で作業レバー１３〜１６の操作が終了しても、ロック弁３１はロック位置のままである。
【００６０】
次に、図５の時刻ｔ２５にゲートロックレバー１７が禁止位置から許容位置に操作されたことに応じて（Ｓ２１：Ｙｅｓ）、切換部５１は、再びステップＳ１１に戻って、ゲートロックレバー１７が許容位置から禁止位置に操作されるのを監視する（Ｓ１１）。ただし、ロック弁３１は既にロック位置となっているので、切換部５１は、ロック弁３１を切り換える必要はない。
【００６１】
次に、図５の時刻ｔ３１にオペレータが走行レバー１１〜１２を操作しても、ロック弁３１がロック位置なので、パイロット弁２１〜２２からパイロット圧油が出力されず、走行パイロット圧センサ４３で走行パイロット圧Ｐ２も検出されない。なお、この例では、走行レバー１１〜１２が操作された状態が時刻ｔ３１〜ｔ３４まで継続するものとする。
【００６２】
次に、図５の時刻ｔ３２にオペレータがゲートロックレバー１７を許容位置から禁止位置に操作すると（Ｓ１１：Ｙｅｓ）、切換部５１がロック弁３１を解除位置に切り換え（Ｓ１２）、判定時間補正部５２が第１時間ｔ１を補正し（Ｓ１３）、判定部５３が第１時間ｔ１が経過するまでのパーキング解除圧Ｐ１及び走行パイロット圧Ｐ２を監視し（Ｓ１４）、第１時間ｔ１が経過したことに応じて切換部５１がロック弁３１をロック位置に切り換える（Ｓ１５）。
【００６３】
図５の時刻ｔ３２でロック弁３１がロック位置に切り換わると、走行レバー１１〜１２が操作された状態のままでも、走行パイロット圧Ｐ２は検出されなくなる。ステップＳ１２〜Ｓ１５の処理は前述の説明と共通するので、再度の説明は省略する。
【００６４】
時刻ｔ３２において、走行レバー１１〜１２が操作された状態でゲートロックレバー１７が禁止位置に操作されると、走行パイロット圧センサ４３によって走行パイロット圧Ｐ２が検出される。そのため、判定部５３は、第１時間ｔ１（時刻ｔ３２〜ｔ３３）の間に、走行パイロット圧Ｐ２が第２閾値Ｐｔｈ２以上になったと判定し、誤操作がされたとの判定結果を切換部５１及び報知処理部５４に通知する（Ｓ１７：Ｙｅｓ）。
【００６５】
なお、図５に示すように、作業レバー１３〜１６が操作された状態でゲートロックレバー１７が禁止位置に操作されると、パーキング解除圧Ｐ１は瞬時に６ＭＰａまで上昇するのに対して、走行レバー１１〜１２が操作された状態でゲートロックレバー１７が禁止位置に操作されると、走行パイロット圧Ｐ２は緩やかに上昇する。そのため、第１時間ｔ１は、走行パイロット圧Ｐ２が０ＭＰａから第２閾値Ｐｔｈ２（０．６ＭＰａ）まで上昇するのに必要な時間より長く設定するのが望ましい。
【００６６】
次に、報知処理部５４は、時刻ｔ３２〜ｔ３３間に誤操作がされたと判定部５３によって判定されたことに応じて（Ｓ１７：Ｙｅｓ）、報知装置４４を通じて誤操作の発生を報知する（Ｓ２０）。
【００６７】
一方、切換部５１は、時刻ｔ３２〜ｔ３３間に誤操作がされたと判定部５３によって判定されたことに応じて（Ｓ１７：Ｙｅｓ）、ステップＳ１８〜Ｓ１９の処理を実行せずに、ゲートロックレバー１７が禁止位置から許容位置に操作されるのを監視する（Ｓ２１）。すなわち、ロック弁３１がロック位置に保持される。そして、時刻ｔ３３から第２時間ｔ２が経過しても、或いは時刻ｔ３４で走行レバー１１〜１２の操作が終了しても、ロック弁３１はロック位置のままである。
【００６８】
次に、図５の時刻ｔ３５にゲートロックレバー１７が禁止位置から許容位置に操作されたことに応じて（Ｓ２１：Ｙｅｓ）、切換部５１は、再びステップＳ１１に戻って、ゲートロックレバー１７が許容位置から禁止位置に操作されるのを監視する（Ｓ１１）。ただし、ロック弁３１は既にロック位置となっているので、切換部５１は、ロック弁３１を切り換える必要はない。これ以降処理は前述の説明と共通するので、再度の説明は省略する。
【００６９】
上記の実施形態によれば、例えば以下の作用効果を奏する。
【００７０】
上記の実施形態において、ゲートロックレバー１７が禁止位置に操作されると、ロック弁３１を第１時間ｔ１だけ解除位置にし、第１時間ｔ１が経過するまでに誤操作の有無を判定する。そして、誤操作がなければロック弁３１を解除位置にし、誤操作があればロック弁３１をロック位置に保持する。これにより、ロック弁３１を解除位置にしたまま誤操作の有無を判定し、誤操作があると判定したらロック弁３１をロック位置に切り換えるのと比較して、アクチュエータ３ａ、４ｄ〜４ｆ、８ａ〜８ｂの予期しない動作を、さらに速く停止することができる。
【００７１】
また、作動油は温度が低いほど粘度が高くなるので、特に走行パイロット圧Ｐ２の立ち上がりが遅くなる。そこで上記の実施形態のように、作動油の温度が低いほど、ステップＳ１４〜Ｓ１５における走行パイロット圧Ｐ２の判定時間（第１時間）ｔ１を長くすることにより、誤操作の有無を速く判定することができる。
【００７２】
また、上記の実施形態によれば、作業レバー１３〜１６の誤操作の有無を、パーキング解除圧Ｐ１によって判定している。パーキング解除圧Ｐ１は、作業レバー１３〜１６のどれが操作されても上昇する。そのため、パーキング解除圧センサ４２でパーキング解除圧Ｐ１を検出することにより、パイロット弁２３〜２６それぞれにセンサを設けるのと比較して、センサの数を削減することができる。また、作業レバー１３〜１６の操作によりパイロット圧の検出信号が立ち上がる時間に比べて、パーキング解除圧Ｐ１の検出信号の立ち上がりの方が早い（パーキング解除圧Ｐ１は瞬時に上昇する）ため、作業レバー１３〜１６の誤操作の有無をより早く、確実に判定できる。その結果、例えば、上部旋回体３が慣性により回転するのをより確実に防止できる。
【００７３】
また、上記の実施形態によれば、報知装置４４を通じて誤操作の発生が報知される（Ｓ２０）。さらに、上記の実施形態によれば、誤操作がされたと判定された場合において、オペレータは、ロック弁３１を再び解除位置にするために、ゲートロックレバー１７を一旦許容位置に操作し（Ｓ２１：Ｙｅｓ）、再び禁止位置に操作する必要がある（Ｓ１１：Ｙｅｓ）。このような手順をオペレータに実行させることによって、誤操作の発生をオペレータに認識させることができる。その結果、誤操作を解消してからゲートロックレバー１７を禁止位置に操作させることが期待できる。
【００７４】
上述した実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００７５】
１  油圧ショベル
２  下部走行体
３  上部旋回体
３ａ  旋回モータ
４  フロント作業機
４ａ  ブーム
４ｂ  アーム
４ｃ  バケット
４ｄ  ブームシリンダ
４ｅ  アームシリンダ
４ｆバケットシリンダ
５  旋回フレーム
６  カウンタウェイト
７  キャブ
８  履帯
８ａ，８ｂ  油圧モータ
８ｃ  駆動輪
１０  エンジン
１１，１２  走行レバー（走行操作装置）
１３  ブームレバー
１４  アームレバー
１５  バケットレバー
１６  旋回レバー
１７  ゲートロックレバー（ロック操作装置）
２１，２２，２３，２４，２５，２６  パイロット弁
３１  ロック弁
３２  作動油タンク
３３  油圧ポンプ
３４  油圧制御回路
３５  旋回ブレーキ
３６  ブレーキパッド
３７  シリンダ
３８  コイルバネ
４１  温度センサ
４２  パーキング解除圧センサ
４３  走行パイロット圧センサ
４４  報知装置
５０  コントローラ
５１  切換部
５２  判定時間補正部
５３  判定部
５４  報知処理部
【図１】
2020051134.tif 000003
【図２】
2020051134.tif 000004
【図３】
2020051134.tif 000005
【図４】
2020051134.tif 000006
【図５】
2020051134.tif 000007